(57)【要約】      （修正有）【課題】組立式店頭端末の改良構成を提供する。【解決手段】主に、タプレット店頭端末１と、プリンター２とを有し、タプレット店頭端末は、その一端に操作用のタッチパネル１１を有し、他端にヒンジ１１１を介して回転可能な拡充組合座が設けられ、拡充組合座の下側には、第１の結合部が設けられ、プリンターは、前端に開閉可能な可動カバー２１１を有するペーパーの設置口２１が設けられ、プリンターの下側に設置面が設けられると共に、プリンターの上側に拡充組合座の第１の結合部と対応して組み合わせる第２の結合部が設けられ、第１の結合部と第２の結合部により、タプレット店頭端末とプリンターが畳んで一体に組み合わせて使用され、或いは、分離して独立且つ並列に使用されることを特徴とする。【選択図】図１
0003221027.tif 000002
【実用新案登録請求の範囲】
【請求項１】
主に、タプレット店頭端末と、プリンターとを有し、
前記タプレット店頭端末は、その一端に操作用のタッチパネルを有し、他端にヒンジを介して回転可能な拡充組合座が設けられ、前記拡充組合座の下側には、第１の結合部が設けられ、
前記プリンターは、前端に開閉可能な可動カバーを有するペーパーの設置口が設けられ、前記プリンターの下側に設置面が設けられると共に、前記プリンターの上側に前記拡充組合座の前記第１の結合部と対応して組み合わせる第２の結合部が設けられ、
前記第１の結合部と前記第２の結合部により、前記タプレット店頭端末と前記プリンターが畳んで一体に組み合わせて使用され、或いは、分離して独立且つ並列に使用されることを特徴とする、組立式店頭端末の改良構成。
【請求項２】
前記プリンターには、拡充電源コードが設けられ、前記拡充電源コードの中段が前記プリンターの内に位置され、その一端が前記プリンターの後側に設けられると共に、電源ソケットと連接され、他端が前記プリンターの上方から抜き出すと共に、電源プラグと連接され、前記拡充組合座には、前記電源プラグを有する端が抜き出すためのコード出口が設けられることを特徴とする請求項１に記載の、組立式店頭端末の改良構成。
【請求項３】
前記拡充組合座には、少なくとも隣接している第１の設置部と第２の設置部が設けられ、前記第１の設置部は、パワーサプライを設置するものであり、前記第２の設置部は、拡充モジュールを設置するものであり、前記拡充組合座には、カバーするための上カバーが設けられることを特徴とする請求項２に記載の、組立式店頭端末の改良構成。
【請求項４】
前記拡充組合座の両内側には、前記上カバーと係り止めるために、上方へ向かって立ている係止プレートが設けられ、前記上カバーは、前記プリンターの上方形状に対応して略台形の形状を有し、前記タッチパネルの背面に対応する一端に延伸プレートが設けられ、前記延伸プレートの両側に前記ヒンジに対応するスリットが形成され、前記上カバーの末端には、上下に段取りの二つのコード出口とその対応の二つの封止プレートが設けられることを特徴とする請求項３に記載の、組立式店頭端末の改良構成。
【請求項５】
前記拡充組合座の前記第２の設置部には、中空の窓口が形成され、前記中空の窓口の両辺には、組立用のねじ孔が形成され、ねじを介して前記の拡充モジュールが固定されることを特徴とする請求項３に記載の、組立式店頭端末の改良構成。
【請求項６】
前記拡充組合座の前記第２の設置部には、中空の窓口が形成され、前記中空の窓口の両辺には、組立用のねじ孔が形成され、ねじを介して、前記拡充モジュールを段取するための支持フレームが設けられることを特徴とする請求項３に記載の、組立式店頭端末の改良構成。
【請求項７】
前記拡充モジュールは、その上に少なくとも一つのパワー入力端と異なる電圧の出力ための二つの出力端が設けられる充電バッテリーを有するパワーサプライであることを特徴とする請求項３に記載の、組立式店頭端末の改良構成。
【請求項８】
前記第１の結合部と前記第２の結合部との間には、互いに固定するために連結部材が更に設けられ、前記第１の結合部は、前記拡充組合座の底部における設置面から直接に構成されるものであり、前記第２の結合部は、前記プリンターの上部カバーと対面する窪み部から構成されるものであることを特徴とする請求項３に記載の、組立式店頭端末の改良構成。
【請求項９】
前記タプレット店頭端末の前記操作用のタッチパネルの後側に本体が設けられ、前記本体の一端には、配線を設置するために複数のソケットと、配線を隠して美化するために前記操作用のタッチパネルの後側と対応する可動かバーが設けられ、前記プリンターは、傾斜の構成である台形を有し、後側に窪みの後側部が設けられ、その上に配線が挿入するため複数のソケットと、前記前記プリンターの前記後側部に覆うことによって配線を隠すための可動カバーとが設けられ、更に前記タプレット店頭端末又は前記プリンターの下側に、設置の安定化を向上するための底部プレートが設けられることを特徴とする請求項２に記載の、組立式店頭端末の改良構成。
【請求項１０】
前記拡充組合座と前記底部プレートの後側に互いに対応しあうコード出口が形成されると共に、組合わせた前記上カバーと前記可動カバーの後端に夫々コード出口とその対応の封止プレートが設けられることを特徴とする請求項９に記載の、組立式店頭端末の改良構成。
【考案の詳細な説明】
【技術分野】
【０００１】
本考案は、タプレット店頭端末の周辺における拡充や整合の技術分野に関わり、特に組立式店頭端末の改良構成に関するものである。
【背景技術】
【０００２】
店頭端末の会計が快速且つ正確であり、しかもコンピューターによって自動化に管理できるため、各項の商品の販売状況を便利に管理できるので、人力と在庫管理のコストを降下すると共に、完璧の販売方策を有効に実行することができる。上記のメリットがあるので、店頭端末は、各種の取引場合、例えば小売店、スーパー、コンピニ、百貨店、飲食店、娯楽店などによく使用されている。
【０００３】
従来の店頭端末は、本体とキーボードとモニターの組合から構成され、応用上には、その体積がかなり大きいため、非常に不便である。現在新世帯の製品では、その代わりにタプレット店頭端末が使用されるので、その体積を大幅に縮減し、かつその実用功能も強くなって行く。
【考案の概要】
【考案が解決しようとする課題】
【０００４】
また、当業者は、タプレット店頭端末とプリンターとを整合して一体形成の機体が開発され、その設置空間をさらに節約することができる。このような双機体整合の設計は、その体積が小さくなり、搬送上の利便性があるが、その製品の内蔵空間が狭くて熱放散の効果がよくないためシャットダウンし易く、且つ、整合設計で取外してメンテナンスを行うのは困難であり、その構成上にもさらに改良する必要があり、功能の拡充性もよくないのでクライアントの様々なニーズに満足することができない。さらに、配合して使用される電気製品の選択性も失ってしまうので、現在の消費ニーズの多元化の進展と、売り場の設置ニーズに対応することができない。
【０００５】
上記の問題に鑑み、本考案者は、タプレット店頭端末の周辺における拡充や整合の技術分野に関わり、特に組立式店頭端末の改良構成を提供することを目的とする。
【課題を解決するための手段】
【０００６】
上記の課題に鑑み、本考案の主な目的は、組立式店頭端末の改良構成を提供し、それはタプレット店頭端末と、プリンターとを有し、
前記タプレット店頭端末は、その一端に操作用のタッチパネルを有し、他端にヒンジを介して回転可能な拡充組合座が設けられ、前記拡充組合座の下側には、第１の結合部が設けられ、
前記プリンターは、前端に開閉可能な可動カバーを有するペーパーの設置口が設けられ、前記プリンターの下側に設置面が設けられると共に、前記プリンターの上側に前記拡充組合座の前記第１の結合部と対応して組み合わせる第２の結合部が設けられ、
これにより、前記タプレット店頭端末と前記プリンターが、体積を縮減して設置空間を節約するために畳んで一体に組み合わせることができ、或いは、分離して独立に使用され、又は並列に設置されることができるので、様々なニーズに満足することができる。
【０００７】
好適な実施例において、前記プリンターには、拡充電源コードが設けられ、前記拡充電源コードの中段が前記プリンターの内に位置され、その一端が前記プリンターの後側に設けられると共に、電源ソケットと連接され、他端が前記プリンターの上方から抜き出すと共に、電源プラグと連接され、前記拡充組合座には、前記電源プラグを有する端が抜き出すためのコード出口が設けられることにより、前記タプレット店頭端末と前記プリンターとを電気接続した後に、電源のオンオフを行うことができる。
【０００８】
好適な実施例において、前記拡充組合座には、少なくとも隣接している第１の設置部と第２の設置部が設けられ、前記第１の設置部は、パワーサプライを設置するものであり、前記第２の設置部は、拡充モジュールを設置するものであり、これにより、設置のニーズに応じて異なる拡充モジュールを選び、異なる効果を有する機体シリーズが生産されることができる。
【図面の簡単な説明】
【０００９】
【図１】本考案に係わる組立式店頭端末の改良構成を示す斜視図である。
【図２】本考案に係わる組立式店頭端末の改良構成を示す分解斜視図である。
【図３】本考案に係わる組立式店頭端末の改良構成を示す側面図である。
【図４】本考案に係わる組立式店頭端末の改良構成を示す断面図である。
【図５】本考案に係わる組立式店頭端末の改良構成の使用状態（組合）を示す斜視図である。
【図６】本考案に係わる組立式店頭端末の改良構成の他の使用状態（分離）を示す斜視図である。
【考案を実施するための形態】
【００１０】
審査官に本考案の目的、形状、構成の特徴とその効果をよく理解させるために、図面と合わせて具体の実施例について、以下のように詳細に説明する。
【００１１】
図１乃至図４に示すように、本考案に係わる組立式店頭端末の改良構成は、主にタプレット店頭端末（１）と、プリンター（２）とを有する。
【００１２】
前記タプレット店頭端末（１）は、その一端に操作用のタッチパネル（１１）を有し、他端にヒンジ（１１１）を介して回転可能な拡充組合座（１２）が設けられ、前記拡充組合座（１２）の下側には、第１の結合部（１５）が設けられる。
【００１３】
前記プリンター（２）は、前端に開閉可能な可動カバー（２１１）を有するペーパーの設置口（２１）が設けられ、前記プリンター（２）の下側に設置面（２２）が設けられると共に、前記プリンター（２）の上側に前記拡充組合座（１２）の前記第１の結合部（１５）と対応して組み合わせる第２の結合部（２５）が設けられる。
【００１４】
好適な実施例において、前記第１の結合部（１５）は、前記拡充組合座（１２）の底部における設置面から直接に構成されるものであり、前記第２の結合部（２５）は、前記プリンター（２）の上部カバーと対面する窪み部（２２５）から構成されるものであり、前記タプレット店頭端末（１）と前記プリンター（２）を畳んで組み合わせる時、前記拡充組合座（１２）の設置面（１２５）が前記プリンター（２）の窪み部（２２５）に嵌め込むだけでよいが、これに限らない。前記タプレット店頭端末（１）と前記プリンター（２）は、他の組合形式によって組み合わせることができる（図面なし）。
【００１５】
前記第１の結合部（１５）と前記第２の結合部（２５）との間には、例えばねじ（１５５）、ねじ孔（２５５）のような連結部材（５５）が設けられることにより、前記タプレット店頭端末（１）と前記プリンター（２）を固定に組み合わせることができるが、これに限らない。例えば、係止プレートと係止溝（何れも図示なし）など他の構成によって組み合わせることができる。
【００１６】
図４に示すように、好適な実施例において、前記プリンター（２）には、拡充電源コード（３）が設けられ、前記拡充電源コード（３）の中段が前記プリンター（２）の内に位置され、その一端が前記プリンター（２）の後側に設けられると共に、電源ソケット（３１）と連接され、他端が前記プリンター（２）の上方から抜き出すと共に、電源プラグ（３２）と連接され、前記拡充組合座（１２）には、前記電源プラグ（３２）を有する端が抜き出すためのコード出口（１２０）が設けられることにより、前記タプレット店頭端末（１）と前記プリンター（２）とを電気接続した後に、電源のオンオフを行うことができる。
【００１７】
図５と図６に示すように、前記第１の結合部（１５）と前記第２の結合部（２５）により、前記タプレット店頭端末（１）と前記プリンター（２）が、体積を縮減して設置空間を節約するために畳んで一体に組み合わせることができ、或いは、分離して独立に使用され、又は並列に設置されることができるので、様々なニーズに満足することができる。
【００１８】
図１乃至図４に示すように、本考案の好適な実施例における細部の構成について説明する。前記タプレット店頭端末（１）の前側に操作用のタッチパネル（１１）が設けられ、前記操作用のタッチパネル（１１）の後側に本体（１０）が設けられ、前記本体（１０）の一端には、配線を設置するために複数のソケット（１０１）と、配線を隠して美化するために前記操作用のタッチパネル（１１）の後側と対応する可動かバー（１００）が設けられる。
【００１９】
好適な実施例において、前記プリンター（２）は、傾斜の構成である台形を有し、両辺に斜めで縮減する側面が形成されるが、実際の外観ではこれに限らない。前記プリンター（２）の前側にペーパーの設置口（２１）が設けられ、前記プリンター（２）の後側に窪みの後側部（２０）が設けられ、その上に配線が挿入するため複数のソケット（２０１）と、前記前記プリンター（２）の前記後側部（２０）に覆うことにより配線を隠すための可動カバー（２００）とが設けられる。
【００２０】
好適な実施例において、本考案の組立式店頭端末の改良構成は、更に底部プレート（５０）を有してもよく、前記底部プレート（５０）は、前記プリンター（２）または前記拡充組合座（１２）の下側に設けられることにより、前記タプレット店頭端末（１）と前記プリンター（２）とを畳んで設置する時、又は独立かつ並列に設置する時の安定性を向上することができる。
【００２１】
好適な実施例において、前記拡充組合座（１２）には、少なくとも隣接している第１の設置部（１２１）と第２の設置部（１２２）が設けられ、前記第１の設置部（１２１）は、パワーサプライ（４１）を設置するものであり、前記第２の設置部（１２２）は、拡充モジュール（４２）を設置するものであり、これにより、設置のニーズに応じて異なる拡充モジュール（４２）を選び、異なる効果を有する機体シリーズが生産されることができる。
【００２２】
好適な実施例において、前記拡充組合座（１２）には、活動できる上カバー（３５）が設けられ、前記上カバー（３５）は、前記プリンター（２）の上方形状に対応して略台形の形状を有し、前記タッチパネル（１１）の背面に対応する一端に延伸プレート（３５０）が設けられ、前記延伸プレート（３５０）の両側に前記ヒンジ（１１１）に対応するスリット（３５１）が形成される。
【００２３】
好適な実施例において、前記拡充組合座（１２）の両内側には、前記上カバー（３５）と係り止めるために、上方へ向かって立ている係止プレート（１２４）が設けられ、前記拡充組合座（１２）と前記底部プレート（５０）の後側に互いに対応しあうコード出口（１６０）が形成されると共に、組合わせた前記上カバー（３５）と前記可動カバー（２００）の後端に夫々コード出口（６００）とその対応の封止プレート（６０１）が設けられる。
【００２４】
好適な実施例において、前記上カバー（３５）の末端には、上下に段取りのコード出口（６００）（６０２）とその対応の封止プレート（６０１）（６０３）が設けられることにより、異なる拡充モジュールの配線を伸び出すことができる。
【００２５】
好適な実施例において、前記拡充組合座（１２）の前記第２の設置部（１２２）には、中空の窓口（１２３）が形成され、前記中空の窓口（１２３）の両辺には、組立用のねじ孔（５５１）が形成され、ねじ（５５２）を介して前記の拡充モジュール（４２）、又は異なる前記拡充モジュール（４２）を段取するための支持フレーム（図示なし）が設けられることができる。
【００２６】
好適な実施例において、前記拡充モジュール（４２）は、その上に少なくとも一つのパワー入力端と異なる電圧の出力ための二つの出力端が設けられる充電バッテリーを有するパワーサプライであってもよい。或いは、データを記録するためのハードディスク、通信伝送用のハブ、ＵＳＢパワー供給装置などの他の設備（何れも図示なし）であってもよい。
【００２７】
図１乃至図６に示すように、本考案に係わる組立式店頭端末の改良構成のメリットは、下記のように示される。前記タプレット店頭端末（１）の前記拡充組合座（１２）と前記プリンター（２）との間に、対応しあう前記第１の結合部（１５）と前記第２の結合部（２５）が設けられるので、設置面積を縮減するために、前記タプレット店頭端末（１）と前記プリンター（２）を互いに畳んで組合わせることができ、又は分離して互いに独立かつ並列に使用することができる。畳んで使用される場合又は分離に使用される場合、いずれも底部プレート（５０）によってその設置の安定性を向上することができるので、異なる設置のニーズに応じて組立て形式を自由に調整することができる。
【００２８】
前記タプレット店頭端末（１）と前記プリンター（２）を互いに畳んで組合わせる場合、前記プリンター（２）に設けられる拡充電源コード（３）を介して前記タプレット店頭端末（１）と前記プリンター（２）とを電気接続した後に、電源のオンオフを行うことができ、操作上の利便性をより向上できる。
【００２９】
また、本考案の前記拡充組合座（１２）における前記第１の設置部（１２１）と前記第２の設置部（１２２）には、異なる拡充モジュール（４）を設置することができ、前記上カバー（３５）と前記可動カバー（２００）と配合して異なる功能を有する機体シリーズと異なる配線の方式に変化することができるので、様々なニーズに満足することができる。
【００３０】
上述の説明は、本考案の好適な実施例に対する具体的な説明であるが、これらの実施例は本考案における実用新案請求の範囲を限定するものではなく、本考案の要旨に基づいてこれらの実施例の効果と等しい変形や変更して本考案を完成することができ、これらの変形や変更が本考案における実用新案請求の範囲に含まれるべきである。
【符号の説明】
【００３１】
１        タプレット店頭端末
１０      本体
１００    可動カバー
１０１    ソケット
１１      操作用のタッチパネル
１１１    ヒンジ
１２      拡充組合座
１２０    コード出口
１２１    第１の設置部
１２２    第２の設置部
１２３    中空の窓口
１２４    係止プレート
１２５    設置面
１５      第１の結合部
１５５    ねじ
１６０    コード出口
２        プリンター
２０      後側部
２００    可動カバー
２０１    ソケット
２１      ペーパーの設置口
２１１    可動カバー
２２      設置面
２２５    窪み部
２５      第２の結合部
２５５    ねじ孔
３        拡充電源コード
３１      電源ソケット
３２      電源プラグ
３５      上カバー
３５０    延伸プレート
３５１    スリット
４１      パワーサプライ
４２      拡充モジュール
５０      底部プレート
５５      連結部材
５５１    ねじ孔
５５２    ねじ
６００、６０２コード出口
６０１、６０３封止プレート
【図１】
0003221027.tif 000003
【図２】
0003221027.tif 000004
【図３】
0003221027.tif 000005
【図４】
0003221027.tif 000006
【図５】
0003221027.tif 000007
【図６】
0003221027.tif 000008
【手続補正書】
【提出日】平成31年2月12日(2019.2.12)
【手続補正１】
【補正対象書類名】実用新案登録請求の範囲
【補正対象項目名】全文
【補正方法】変更
【補正の内容】
【実用新案登録請求の範囲】
【請求項１】
主に、タプレット店頭端末と、プリンターとを有し、
前記タプレット店頭端末は、その一端に操作用のタッチパネルを有し、他端にヒンジを介して回転可能な拡充組合座が設けられ、前記拡充組合座の下側には、第１の結合部が設けられ、
前記プリンターは、前端に開閉可能な可動カバーを有するペーパーの設置口が設けられ、前記プリンターの下側に設置面が設けられると共に、前記プリンターの上側に前記拡充組合座の前記第１の結合部と対応して組み合わせる第２の結合部が設けられ、
前記第１の結合部と前記第２の結合部により、前記タプレット店頭端末と前記プリンターが畳んで一体に組み合わせて使用され、或いは、分離して独立且つ並列に使用されることを特徴とする、組立式店頭端末の改良構成。
【請求項２】
前記プリンターには、拡充電源コードが設けられ、前記拡充電源コードの中段が前記プリンターの内に位置され、その一端が前記プリンターの後側に設けられると共に、電源ソケットと連接され、他端が前記プリンターの上方から抜き出すと共に、電源プラグと連接され、前記拡充組合座には、前記電源プラグを有する端が抜き出すためのコード出口が設けられることを特徴とする請求項１に記載の、組立式店頭端末の改良構成。
【請求項３】
前記拡充組合座には、少なくとも隣接している第１の設置部と第２の設置部が設けられ、前記第１の設置部は、パワーサプライを設置するものであり、前記第２の設置部は、拡充モジュールを設置するものであり、前記拡充組合座には、カバーするための上カバーが設けられることを特徴とする請求項２に記載の、組立式店頭端末の改良構成。
【請求項４】
前記拡充組合座の両内側には、前記上カバーと係り止めるために、上方へ向かって立ている係止プレートが設けられ、前記上カバーは、前記プリンターの上方形状に対応して略台形の形状を有し、前記タッチパネルの背面に対応する一端に延伸プレートが設けられ、前記延伸プレートの両側に前記ヒンジに対応するスリットが形成され、前記上カバーの末端には、上下に段取りの二つのコード出口とその対応の二つの封止プレートが設けられることを特徴とする請求項３に記載の、組立式店頭端末の改良構成。
【請求項５】
前記拡充組合座の前記第２の設置部には、中空の窓口が形成され、前記中空の窓口の両辺には、組立用のねじ孔が形成され、ねじを介して前記の拡充モジュールが固定されることを特徴とする請求項３に記載の、組立式店頭端末の改良構成。
【請求項６】
前記拡充組合座の前記第２の設置部には、中空の窓口が形成され、前記中空の窓口の両辺には、組立用のねじ孔が形成され、ねじを介して、前記拡充モジュールを段取するための支持フレームが設けられることを特徴とする請求項３に記載の、組立式店頭端末の改良構成。
【請求項７】
前記拡充モジュールは、その上に少なくとも一つのパワー入力端と異なる電圧の出力ための二つの出力端が設けられる充電バッテリーを有するパワーサプライであることを特徴とする請求項３に記載の、組立式店頭端末の改良構成。
【請求項８】
前記第１の結合部と前記第２の結合部との間には、互いに固定するために連結部材が更に設けられ、前記第１の結合部は、前記拡充組合座の底部における設置面から直接に構成されるものであり、前記第２の結合部は、前記プリンターの上カバーと対面する窪み部から構成されるものであることを特徴とする請求項３に記載の、組立式店頭端末の改良構成。
【請求項９】
前記タプレット店頭端末の前記操作用のタッチパネルの後側に本体が設けられ、前記本体の一端には、配線を設置するために複数のソケットと、配線を隠して美化するために前記操作用のタッチパネルの後側と対応する可動カバーが設けられ、前記プリンターは、傾斜の構成である台形を有し、後側に窪みの後側部が設けられ、その上に配線が挿入するため複数のソケットと、前記プリンターの前記後側部に覆うことによって配線を隠すための可動カバーとが設けられ、更に前記タプレット店頭端末又は前記プリンターの下側に、設置の安定化を向上するための底部プレートが設けられることを特徴とする請求項２に記載の、組立式店頭端末の改良構成。
【請求項１０】
前記拡充組合座と前記底部プレートの後側に互いに対応しあうコード出口が形成されると共に、組合わせた上カバーと前記可動カバーの後端に夫々コード出口とその対応の封止プレートが設けられることを特徴とする請求項９に記載の、組立式店頭端末の改良構成。
【手続補正２】
【補正対象書類名】明細書
【補正対象項目名】全文
【補正方法】変更
【補正の内容】
【考案の詳細な説明】
【技術分野】
【０００１】
本考案は、タプレット店頭端末の周辺における拡充や整合の技術分野に関わり、特に組立式店頭端末の改良構成に関するものである。
【背景技術】
【０００２】
店頭端末の会計が快速且つ正確であり、しかもコンピューターによって自動化に管理できるため、各項の商品の販売状況を便利に管理できるので、人力と在庫管理のコストを降下すると共に、完璧の販売方策を有効に実行することができる。上記のメリットがあるので、店頭端末は、各種の取引場合、例えば小売店、スーパー、コンピニ、百貨店、飲食店、娯楽店などによく使用されている。
【０００３】
従来の店頭端末は、本体とキーボードとモニターの組合から構成され、応用上には、その体積がかなり大きいため、非常に不便である。現在新世帯の製品では、その代わりにタプレット店頭端末が使用されるので、その体積を大幅に縮減し、かつその実用功能も強くなって行く。
【考案の概要】
【考案が解決しようとする課題】
【０００４】
また、当業者は、タプレット店頭端末とプリンターとを整合して一体形成の機体が開発され、その設置空間をさらに節約することができる。このような双機体整合の設計は、その体積が小さくなり、搬送上の利便性があるが、その製品の内蔵空間が狭くて熱放散の効果がよくないためシャットダウンし易く、且つ、整合設計で取外してメンテナンスを行うのは困難であり、その構成上にもさらに改良する必要があり、功能の拡充性もよくないのでクライアントの様々なニーズに満足することができない。さらに、配合して使用される電気製品の選択性も失ってしまうので、現在の消費ニーズの多元化の進展と、売り場の設置ニーズに対応することができない。
【０００５】
上記の問題に鑑み、本考案者は、タプレット店頭端末の周辺における拡充や整合の技術分野に関わり、特に組立式店頭端末の改良構成を提供することを目的とする。
【課題を解決するための手段】
【０００６】
上記の課題に鑑み、本考案の主な目的は、組立式店頭端末の改良構成を提供し、それはタプレット店頭端末と、プリンターとを有し、
前記タプレット店頭端末は、その一端に操作用のタッチパネルを有し、他端にヒンジを介して回転可能な拡充組合座が設けられ、前記拡充組合座の下側には、第１の結合部が設けられ、
前記プリンターは、前端に開閉可能な可動カバーを有するペーパーの設置口が設けられ、前記プリンターの下側に設置面が設けられると共に、前記プリンターの上側に前記拡充組合座の前記第１の結合部と対応して組み合わせる第２の結合部が設けられ、
これにより、前記タプレット店頭端末と前記プリンターが、体積を縮減して設置空間を節約するために畳んで一体に組み合わせることができ、或いは、分離して独立に使用され、又は並列に設置されることができるので、様々なニーズに満足することができる。
【０００７】
好適な実施例において、前記プリンターには、拡充電源コードが設けられ、前記拡充電源コードの中段が前記プリンターの内に位置され、その一端が前記プリンターの後側に設けられると共に、電源ソケットと連接され、他端が前記プリンターの上方から抜き出すと共に、電源プラグと連接され、前記拡充組合座には、前記電源プラグを有する端が抜き出すためのコード出口が設けられることにより、前記タプレット店頭端末と前記プリンターとを電気接続した後に、電源のオンオフを行うことができる。
【０００８】
好適な実施例において、前記拡充組合座には、少なくとも隣接している第１の設置部と第２の設置部が設けられ、前記第１の設置部は、パワーサプライを設置するものであり、前記第２の設置部は、拡充モジュールを設置するものであり、これにより、設置のニーズに応じて異なる拡充モジュールを選び、異なる効果を有する機体シリーズが生産されることができる。
【図面の簡単な説明】
【０００９】
【図１】本考案に係わる組立式店頭端末の改良構成を示す斜視図である。
【図２】本考案に係わる組立式店頭端末の改良構成を示す分解斜視図である。
【図３】本考案に係わる組立式店頭端末の改良構成を示す側面図である。
【図４】本考案に係わる組立式店頭端末の改良構成を示す断面図である。
【図５】本考案に係わる組立式店頭端末の改良構成の使用状態（組合）を示す斜視図である。
【図６】本考案に係わる組立式店頭端末の改良構成の他の使用状態（分離）を示す斜視図である。
【考案を実施するための形態】
【００１０】
審査官に本考案の目的、形状、構成の特徴とその効果をよく理解させるために、図面と合わせて具体の実施例について、以下のように詳細に説明する。
【００１１】
図１乃至図４に示すように、本考案に係わる組立式店頭端末の改良構成は、主にタプレット店頭端末（１）と、プリンター（２）とを有する。
【００１２】
前記タプレット店頭端末（１）は、その一端に操作用のタッチパネル（１１）を有し、他端にヒンジ（１１１）を介して回転可能な拡充組合座（１２）が設けられ、前記拡充組合座（１２）の下側には、第１の結合部（１５）が設けられる。
【００１３】
前記プリンター（２）は、前端に開閉可能な可動カバー（２１１）を有するペーパーの設置口（２１）が設けられ、前記プリンター（２）の下側に設置面（２２）が設けられると共に、前記プリンター（２）の上側に前記拡充組合座（１２）の前記第１の結合部（１５）と対応して組み合わせる第２の結合部（２５）が設けられる。
【００１４】
好適な実施例において、前記第１の結合部（１５）は、前記拡充組合座（１２）の底部における設置面から直接に構成されるものであり、前記第２の結合部（２５）は、前記プリンター（２）の上カバー（３５）と対面する窪み部（２２５）から構成されるものであり、前記タプレット店頭端末（１）と前記プリンター（２）を畳んで組み合わせる時、前記拡充組合座（１２）の設置面（１２５）が前記プリンター（２）の窪み部（２２５）に嵌め込むだけでよいが、これに限らない。前記タプレット店頭端末（１）と前記プリンター（２）は、他の組合形式によって組み合わせることができる（図面なし）。
【００１５】
前記第１の結合部（１５）と前記第２の結合部（２５）との間には、例えばねじ（１５５）、ねじ孔（２５５）のような連結部材（５５）が設けられることにより、前記タプレット店頭端末（１）と前記プリンター（２）を固定に組み合わせることができるが、これに限らない。例えば、係止プレートと係止溝（何れも図示なし）など他の構成によって組み合わせることができる。
【００１６】
図４に示すように、好適な実施例において、前記プリンター（２）には、拡充電源コード（３）が設けられ、前記拡充電源コード（３）の中段が前記プリンター（２）の内に位置され、その一端が前記プリンター（２）の後側に設けられると共に、電源ソケット（３１）と連接され、他端が前記プリンター（２）の上方から抜き出すと共に、電源プラグ（３２）と連接され、前記拡充組合座（１２）には、前記電源プラグ（３２）を有する端が抜き出すためのコード出口（１２０）が設けられることにより、前記タプレット店頭端末（１）と前記プリンター（２）とを電気接続した後に、電源のオンオフを行うことができる。
【００１７】
図５と図６に示すように、前記第１の結合部（１５）と前記第２の結合部（２５）により、前記タプレット店頭端末（１）と前記プリンター（２）が、体積を縮減して設置空間を節約するために畳んで一体に組み合わせることができ、或いは、分離して独立に使用され、又は並列に設置されることができるので、様々なニーズに満足することができる。
【００１８】
図１乃至図４に示すように、本考案の好適な実施例における細部の構成について説明する。前記タプレット店頭端末（１）の前側に操作用のタッチパネル（１１）が設けられ、前記操作用のタッチパネル（１１）の後側に本体（１０）が設けられ、前記本体（１０）の一端には、配線を設置するために複数のソケット（１０１）と、配線を隠して美化するために前記操作用のタッチパネル（１１）の後側と対応する可動かバー（１００）が設けられる。
【００１９】
好適な実施例において、前記プリンター（２）は、傾斜の構成である台形を有し、両辺に斜めで縮減する側面が形成されるが、実際の外観ではこれに限らない。前記プリンター（２）の前側にペーパーの設置口（２１）が設けられ、前記プリンター（２）の後側に窪みの後側部（２０）が設けられ、その上に配線が挿入するため複数のソケット（２０１）と、前記前記プリンター（２）の前記後側部（２０）に覆うことにより配線を隠すための可動カバー（２００）とが設けられる。
【００２０】
好適な実施例において、本考案の組立式店頭端末の改良構成は、更に底部プレート（５０）を有してもよく、前記底部プレート（５０）は、前記プリンター（２）または前記拡充組合座（１２）の下側に設けられることにより、前記タプレット店頭端末（１）と前記プリンター（２）とを畳んで設置する時、又は独立かつ並列に設置する時の安定性を向上することができる。
【００２１】
好適な実施例において、前記拡充組合座（１２）には、少なくとも隣接している第１の設置部（１２１）と第２の設置部（１２２）が設けられ、前記第１の設置部（１２１）は、パワーサプライ（４１）を設置するものであり、前記第２の設置部（１２２）は、拡充モジュール（４２）を設置するものであり、これにより、設置のニーズに応じて異なる拡充モジュール（４２）を選び、異なる効果を有する機体シリーズが生産されることができる。
【００２２】
好適な実施例において、前記拡充組合座（１２）には、活動できる上カバー（３５）が設けられ、前記上カバー（３５）は、前記プリンター（２）の上方形状に対応して略台形の形状を有し、前記タッチパネル（１１）の背面に対応する一端に延伸プレート（３５０）が設けられ、前記延伸プレート（３５０）の両側に前記ヒンジ（１１１）に対応するスリット（３５１）が形成される。
【００２３】
好適な実施例において、前記拡充組合座（１２）の両内側には、前記上カバー（３５）と係り止めるために、上方へ向かって立ている係止プレート（１２４）が設けられ、前記拡充組合座（１２）と前記底部プレート（５０）の後側に互いに対応しあうコード出口（１６０）が形成されると共に、組合わせた前記上カバー（３５）と前記可動カバー（２００）の後端に夫々コード出口（６００）とその対応の封止プレート（６０１）が設けられる。
【００２４】
好適な実施例において、前記上カバー（３５）の末端には、上下に段取りのコード出口（６００）（６０２）とその対応の封止プレート（６０１）（６０３）が設けられることにより、異なる拡充モジュールの配線を伸び出すことができる。
【００２５】
好適な実施例において、前記拡充組合座（１２）の前記第２の設置部（１２２）には、中空の窓口（１２３）が形成され、前記中空の窓口（１２３）の両辺には、組立用のねじ孔（５５１）が形成され、ねじ（５５２）を介して前記の拡充モジュール（４２）、又は異なる前記拡充モジュール（４２）を段取するための支持フレーム（図示なし）が設けられることができる。
【００２６】
好適な実施例において、前記拡充モジュール（４２）は、その上に少なくとも一つのパワー入力端と異なる電圧の出力ための二つの出力端が設けられる充電バッテリーを有するパワーサプライであってもよい。或いは、データを記録するためのハードディスク、通信伝送用のハブ、ＵＳＢパワー供給装置などの他の設備（何れも図示なし）であってもよい。
【００２７】
図１乃至図６に示すように、本考案に係わる組立式店頭端末の改良構成のメリットは、下記のように示される。前記タプレット店頭端末（１）の前記拡充組合座（１２）と前記プリンター（２）との間に、対応しあう前記第１の結合部（１５）と前記第２の結合部（２５）が設けられるので、設置面積を縮減するために、前記タプレット店頭端末（１）と前記プリンター（２）を互いに畳んで組合わせることができ、又は分離して互いに独立かつ並列に使用することができる。畳んで使用される場合又は分離に使用される場合、いずれも底部プレート（５０）によってその設置の安定性を向上することができるので、異なる設置のニーズに応じて組立て形式を自由に調整することができる。
【００２８】
前記タプレット店頭端末（１）と前記プリンター（２）を互いに畳んで組合わせる場合、前記プリンター（２）に設けられる拡充電源コード（３）を介して前記タプレット店頭端末（１）と前記プリンター（２）とを電気接続した後に、電源のオンオフを行うことができ、操作上の利便性をより向上できる。
【００２９】
また、本考案の前記拡充組合座（１２）における前記第１の設置部（１２１）と前記第２の設置部（１２２）には、異なる拡充モジュール（４）を設置することができ、前記上カバー（３５）と前記可動カバー（２００）と配合して異なる功能を有する機体シリーズと異なる配線の方式に変化することができるので、様々なニーズに満足することができる。
【００３０】
上述の説明は、本考案の好適な実施例に対する具体的な説明であるが、これらの実施例は本考案における実用新案請求の範囲を限定するものではなく、本考案の要旨に基づいてこれらの実施例の効果と等しい変形や変更して本考案を完成することができ、これらの変形や変更が本考案における実用新案請求の範囲に含まれるべきである。
【符号の説明】
【００３１】
１                    タプレット店頭端末
１０                  本体
１００            可動カバー
１０１            ソケット
１１                  操作用のタッチパネル
１１１            ヒンジ
１２                  拡充組合座
１２０            コード出口
１２１            第１の設置部
１２２            第２の設置部
１２３            中空の窓口
１２４            係止プレート
１２５            設置面
１５                  第１の結合部
１５５            ねじ
１６０            コード出口
２                    プリンター
２０                  後側部
２００            可動カバー
２０１            ソケット
２１                  ペーパーの設置口
２１１            可動カバー
２２                  設置面
２２５            窪み部
２５                  第２の結合部
２５５            ねじ孔
３                    拡充電源コード
３１                  電源ソケット
３２                  電源プラグ
３５                  上カバー
３５０            延伸プレート
３５１            スリット
４１                  パワーサプライ
４２                  拡充モジュール
５０                  底部プレート
５５                  連結部材
５５１            ねじ孔
５５２            ねじ
６００、６０２            コード出口
６０１、６０３            封止プレート